(57)【要約】【課題】ユーザに負担や不快を感じさせることなく照明器具を省エネルギー稼動できる照明システムを提供する。【解決手段】第１の部屋と、第２の部屋と、にそれぞれ照明器具と、明るさセンサと、ユーザインターフェースと、記憶手段と、人感センサと、制御手段と、第１の部屋と第２の部屋との間の情報通信を行う通信手段と、を設け、さらに第１の部屋と第２の部屋との間の人の移動を検知する通過センサを設け、制御手段が、人感センサ及び通過センサの情報を用いて、一方の部屋が無人で且つ他方の部屋が有人であった後、他方の部屋から一方の部屋への人の移動を検知し、当該部屋の照明器具を点灯する操作がされた場合に、他方の部屋と同じ明るさで当該部屋の照明器具を点灯させるように制御する。【選択図】図１
2012043626.tif 000002
【特許請求の範囲】
【請求項１】
第１の部屋及び第２の部屋にそれぞれ設けられた照明器具の制御を行う照明システムであって、
前記照明システムは、
室内の明るさを検出する明るさセンサと、
前記照明器具の明るさレベルの変更操作を行うためのユーザインターフェースと、
室内環境に適した明るさの下限値と、前記照明器具点灯時の明るさとしての初期値と、を記憶する記憶装置と、
前記照明器具点灯時には前記初期値の明るさで点灯させるとともに、前記明るさセンサにより検出された明るさと前記明るさの下限値とが一致するか否かを判定し、一致しないと判定された場合に、前記明るさを変更する際の変更比率及び変更間隔を用いて、前記明るさセンサにより検出された明るさと前記明るさの下限値とが一致するまで、室内の明るさを２％以下の変更比率で且つ０．２秒以上の間隔をあけて前記照明器具の出力を低下させるように制御する制御装置と、
室内に人が居るか居ないかを検知する人感センサと、
前記第１の部屋と前記第２の部屋との間の情報通信を行う通信手段と、を、前記第１の部屋及び前記第２の部屋それぞれに備え、且つ、
前記第１の部屋と前記第２の部屋との間の人の移動を検知する通過センサをさらに備え、
前記制御手段は、前記人感センサ及び前記通過センサの情報から、前記第１の部屋が無人で且つ前記第２の部屋が有人であった後、前記第２の部屋から前記第１の部屋への人の移動を検知し、前記ユーザインターフェースを用いて前記第１の部屋の照明器具を点灯させる操作がされた場合に、前記第２の部屋と同じ明るさで前記第１の部屋の照明器具を点灯させるように制御し、且つ、前記人感センサ及び前記通過センサの情報から、前記第２の部屋が無人で且つ前記第１の部屋が有人であった後、前記第１の部屋から前記第２の部屋への人の移動を検知し、前記ユーザインターフェースを用いて前記第２の部屋の照明器具を点灯させる操作がされた場合に、前記第１の部屋と同じ明るさで前記第２の部屋の照明器具を点灯させるように制御する、
ことを特徴とする照明システム。
【請求項２】
前記記憶手段はそれぞれ、前記照明器具の出力と前記明るさセンサにより検出される明るさとの関係をさらに記憶し、
前記制御手段はそれぞれ、前記照明器具の出力と前記明るさセンサにより検出される明るさとの関係を用いて、前記照明器具の出力制御を行う、
ことを特徴とする請求項１に記載の照明システム。
【請求項３】
前記記憶手段はそれぞれ、ユーザの明るさ嗜好を学習してなる学習下限値及び学習上限値をさらに記憶し、
前記制御手段はそれぞれ、前記学習下限値及び前記学習上限値が未設定の場合には、前記学習下限値として前記明るさの下限値、前記学習上限値として前記初期値を代入するとともに、前記初期値に代えて前記学習上限値、前記明るさ下限値に代えて前記学習下限値を用いて制御を行う、
ことを特徴とする請求項１又は２に記載の照明システム。
【請求項４】
前記制御手段はそれぞれ、前記ユーザインターフェースによる明るさレベル変更操作の有無及びその内容を判定し、明るさレベルを上げる操作があった場合には、変更前の明るさに２％以下の値を加算した値及び初期値のうちの小さいほうの値を前記学習下限値、変更後の明るさ及び前記初期値のうち小さいほうの値を前記学習上限値をとして、前記記憶手段にそれぞれ記憶させる、
ことを特徴とする請求項３に記載の照明システム。
【請求項５】
前記制御手段はそれぞれ、前記ユーザインターフェースによる明るさレベル変更操作の有無及びその内容を判定し、明るさレベルを下げる操作があった場合には、変更後の明るさ及び明るさ下限値のうち大きいほうを学習上限値、前記明るさの下限値を学習下限値として、前記記憶手段にそれぞれ記憶させる、
ことを特徴とする請求項３に記載の照明システム。
【請求項６】
前記制御手段はそれぞれ、前記ユーザインターフェースによる明るさレベル変更操作の有無を判定し、明るさレベルを変更する操作がなかった場合には、変更前の学習最大値から２％以下の値減算した値及び前記明るさの下限値のうち大きいほうの値を前記学習最大値として、前記記憶手段にそれぞれ記憶させる、
ことを特徴とする請求項３に記載の照明システム。
【請求項７】
前記制御手段はそれぞれ、前記人感センサ及び前記ユーザインターフェースの情報から、部屋内に人が居らず、且つ前記照明器具が稼動している場合に、当該照明機器の稼動を停止させるように制御する、
ことを特徴とする請求項１ないし６のいずれか１項に記載の照明システム。
【請求項８】
前記制御手段はそれぞれ、前記人感センサ及び前記ユーザインターフェースの情報から、所定の時間継続して部屋内に人が居らず、且つ前記照明器具が稼動している場合に、当該照明機器の稼動を停止させるように制御する、
ことを特徴とする請求項１ないし６のいずれか１項に記載の照明システム。
【発明の詳細な説明】
【技術分野】
【０００１】
本発明は、室内の照明器具の省エネルギー制御を行う照明システムに関する。
【背景技術】
【０００２】
近年、省エネルギーに対する注目が高まっており、家電機器の省エネルギー化に関する技術開発が行われている。家電機器の省エネルギー化においては、日常生活の場で人々が抵抗無く省エネルギーを実行するために、操作負担や出力低下による不快感を与えることのない手法が求められる。
【０００３】
省エネルギー技術を適用した照明器具に関する技術としては、下記特許文献１が挙げられる。
【先行技術文献】
【特許文献】
【０００４】
【特許文献１】特表2000-509546号公報
【０００５】
特許文献１は、予め定められた設定値に向かって、人間が気づくことができない遅い速度で照明器具の出力を低下させて光量を落とす省エネルギー技術を提案している。
【発明の概要】
【発明が解決しようとする課題】
【０００６】
しかし、上記特許文献１では、予め定められた設定値自体がユーザに快適であるか否かや、外光の明るさに影響を受ける実際の明るさについては考慮されていないので、ユーザの明るさに関する好みの個人差や外光状況の変化等に対応する柔軟さに欠ける。上記文献以外においても、ユーザに不快感を与えることなく省エネルギーを実践できる照明システムは、いまだ実現していない。
【０００７】
また、ユーザが複数の部屋間を移動しつつ照明器具を使用する場合に、全ての部屋の照明器具に対して効率よく省エネルギー化を図る照明システムもまた、実現していない。
【０００８】
本発明は、以上に鑑みなされたものであって、ユーザに特別な操作負担を強いることなく、また明暗に対する不快感を与えることなく、複数の部屋の照明器具の省エネルギー稼動を実行することのできる照明システムを提供することを目的とする。
【課題を解決するための手段】
【０００９】
上記課題を解決するための本発明は、第１の部屋及び第２の部屋にそれぞれ設けられた照明器具の制御を行う照明システムであって、前記照明システムは、室内の明るさを検出する明るさセンサと、前記照明器具の明るさレベルの変更操作を行うためのユーザインターフェースと、室内環境に適した明るさの下限値と、前記照明器具点灯時の明るさとしての初期値と、を記憶する記憶装置と、前記照明器具点灯時には前記初期値の明るさで点灯させるとともに、前記明るさセンサにより検出された明るさと前記明るさの下限値とが一致するか否かを判定し、一致しないと判定された場合に、前記明るさを変更する際の変更比率及び変更間隔を用いて、前記明るさセンサにより検出された明るさと前記明るさの下限値とが一致するまで、室内の明るさを２％以下の変更比率で且つ０．２秒以上の間隔をあけて前記照明器具の出力を低下させるように制御する制御装置と、室内に人が居るか居ないかを検知する人感センサと、前記第１の部屋と前記第２の部屋との間の情報通信を行う通信手段と、を、前記第１の部屋及び前記第２の部屋それぞれに備え、且つ、前記第１の部屋と前記第２の部屋との間の人の移動を検知する通過センサをさらに備え、前記制御手段は、前記人感センサ及び前記通過センサの情報から、前記第１の部屋が無人で且つ前記第２の部屋が有人であった後、前記第２の部屋から前記第１の部屋への人の移動を検知し、前記ユーザインターフェースを用いて前記第１の部屋の照明器具を点灯させる操作がされた場合に、前記第２の部屋と同じ明るさで前記第１の部屋の照明器具を点灯させるように制御し、且つ、前記人感センサ及び前記通過センサの情報から、前記第２の部屋が無人で且つ前記第１の部屋が有人であった後、前記第１の部屋から前記第２の部屋への人の移動を検知し、前記ユーザインターフェースを用いて前記第２の部屋の照明器具を点灯させる操作がされた場合に、前記第１の部屋と同じ明るさで前記第２の部屋の照明器具を点灯させるように制御することを特徴とする。
【００１０】
気づくことができる最小の刺激差は、基準となる基礎刺激の強度に比例するというウェーバーの法則がある。明るさ刺激（明るさの変化）の場合、気づくことができる最小の刺激差は、現時点の明るさの約２％である。
【００１１】
また、明るさ刺激があった場合に視覚が落ち着くのは、明るさの変更後０．２〜０．３５秒以上経過した後である。
【００１２】
上記構成では、明るさ刺激を感じない変更比率である２％以下で明るさを暗く変化させており、且つ連続して明るさを変化させる場合には視覚が落ち着いた後である以上経過した後に行っている。このため、ユーザが明るさの変化を気づくことが無い。また、室内環境に適した明るさの下限値を超えて暗くなることが無いため、よって、ユーザに明るさに対する不快感を与えることなく、且つユーザに気づかれることなく照明器具の明るさを落とすことができ、これにより省エネルギー化を図れる。
【００１３】
また、ユーザが部屋間を移動した場合には、移動前の部屋と同じ明るさで移動後の部屋の照明器具が点灯する。この点灯時の明るさは、移動前の部屋において上記の動作により明るさレベルが落とされたものであるため、ユーザに気づかれることなく移動後の照明器具を低い出力で稼動させることができ、さらに省エネルギー化を図れる。
【００１４】
ここで、明るさの下限値としては、ＪＩＳ  Ｚ９１１０−１９７９に準拠した下限値とすることができ、また、上記基準に記載されていない条件においては、その使用用途から最も近い条件を参照して適用することができる。また、初期値は、ＪＩＳ  Ｚ９１１０−１９７９を準拠又は参照した上限値とすることができる。
【００１５】
上記構成において、前記記憶手段はそれぞれ、前記照明器具の出力と前記明るさセンサにより検出される明るさとの関係をさらに記憶し、前記制御手段はそれぞれ、前記照明器具の出力と前記明るさセンサにより検出される明るさとの関係を用いて、前記照明器具の出力制御を行う、構成とすることができる。
【００１６】
室内の明るさは、外部要因に起因する明るさと照明器具による明るさとの和であり、照明器具の出力と明るさセンサにより検出される明るさとの関係を用いることにより、照明器具の出力制御によって、室内の明るさを２％以下の変更比率で落とすことが容易となる。
【００１７】
上記構成において、前記記憶手段はそれぞれ、ユーザの明るさ嗜好を学習してなる学習下限値及び学習上限値をさらに記憶し、前記制御手段はそれぞれ、前記学習下限値及び前記学習上限値が未設定の場合には、前記学習下限値として前記明るさの下限値、前記学習上限値として前記初期値を代入するとともに、前記初期値に代えて前記学習上限値、前記明るさ下限値に代えて前記学習下限値を用いて制御を行う構成とすることができる。
【００１８】
上記構成では、明るさ下限値に変えてユーザの明るさ嗜好を学習してなる学習下限値及び学習上限値を用いることにより、より速やかに、且つ、ユーザが明るさに対する不快感を抱くことなく明るさを落としていくことができ、省エネルギー化を図れる。
【００１９】
ユーザの明るさ嗜好の学習（学習上限値、学習下限値の変更）は、次のようにして行う。
【００２０】
制御手段は、ユーザインターフェースによる明るさレベル変更操作の有無及びその内容を判定する。
【００２１】
明るさレベルを上げる操作があった場合には、変更前の明るさまで明るさを下げることは好ましくないので、学習下限値を「変更前の明るさに２％以下の値を加算した値」とする。なお、この値が初期値を超える場合は学習下限値を「初期値」とする。また、変更後の明るさに不満は無いと判定できるが、初期値を超える明るさとするのは不適であるので、学習上限値を「変更後の明るさ及び初期値のうち小さいほうの値」とする。
【００２２】
明るさレベルを下げる操作があった場合には、変更後の明るさに不満を感じていないと判定できるので、学習上限値を「変更後の明るさ及び初期値のうち小さいほうの値」とする。なお、学習上限値が明るさ下限値を下回ることは好ましくないので、この場合は学習上限値を「明るさ下限値」とする。また、明るさの下限に対する嗜好は不明であるので、最低限必要な明るさである「明るさ下限値」を学習下限値とする。
【００２３】
照明点灯時に、照明調節操作が全く無い場合は、現在の学習下限値まで明るさを下げたことに対する不満を感じなかったと判定できるため、学習下限値は変更しない。また、点灯時の明るさレベルを落としても大丈夫と判定できるので、点灯時の明るさレベルである学習最大値を、「学習最大値（変更前）から刺激量の変化を認識できないレベルである２％以下の値を減算した値」とする。なお、この値が明るさ下限値よりも小さくなることは好ましくないので、この場合は、学習最大値を「明るさ下限値」とする。
【００２４】
上記構成において、前記制御手段はそれぞれ、前記人感センサ及び前記ユーザインターフェースの情報から、部屋内に人が居らず、且つ前記照明器具が稼動している場合に、当該照明機器の稼動を停止させるように制御する構成とすることができる。
【００２５】
ユーザが部屋内に居ない場合に、照明機器を稼動させ続けることは省エネルギーに資さないので、この場合には照明機器の稼動を停止させることが好ましい。
【００２６】
上記構成において、前記制御手段はそれぞれ、前記人感センサ及び前記ユーザインターフェースの情報から、所定の時間継続して部屋内に人が居らず、且つ前記照明器具が稼動している場合に、当該照明機器の稼動を停止させるように制御する構成とすることができる。
【００２７】
トイレや来客等の、短時間のみ部屋に居ないような場合にも照明器具の稼動を停止させると、ユーザにわずらわしさを与えてしまう。このため、所定の時間継続して部屋内に人が居ない場合にのみ当該照明機器の稼動を停止させることが好ましい。所定の時間は、例えば５分、１０分などと設定できる。
【発明の効果】
【００２８】
本発明にかかる照明システムによると、使用者の好みの明るさレベルを学習することにより、使用者に負担を感じさせることなく照明機器を省エネルギー稼動できる照明システムを実現できる。
【図面の簡単な説明】
【００２９】
【図１】図１は、実施の形態１にかかる照明システムの全体構成を示すブロック図である。
【図２】図２は、実施の形態１に係る照明システムの基本動作のフローを示す図である。
【図３】図３は、実施の形態１に係る照明システムにおいて、照明器具が起動したときの動作フローを示す図である。
【図４】図４は、実施の形態１に係る照明システムにおいて、第１の部屋及び第２の部屋の照明器具の制御を行うフローを示す図である。
【図５】図５は、実施の形態１に係る照明システムにおいて、第１の部屋のみの照明器具の制御を行うフローを示す図である。
【図６】図６は、実施の形態１に係る照明システムにおいて、第２の部屋のみの照明器具の制御を行うフローを示す図である。
【図７】図７は、実施の形態２に係る照明システムの動作フローを示す図である。
【図８】図８は、実施の形態２に係る照明システムの学習処理のフローを示す図である。
【発明を実施するための形態】
【００３０】
（実施の形態１）
本発明を実施するための形態を、図面を参照して詳細に説明する。図１は、本実施の形態に係る照明システムのブロック図である。
【００３１】
図１に示すように、本実施の形態に係る照明システムは、第１の部屋１及び第２の部屋２にそれぞれ、制御対象となる照明器具１０４，２０４と、室内の明るさを検知する明るさセンサ１０１，２０１と、照明器具１０４，２０４の動作を制御する制御手段１０２，２０２と、照明器具１０４，２０４の制御のための情報を記憶する記憶手段１０３，２０３と、照明器具１０４，２０４を操作するためのユーザインターフェース１０５，２０５と、室内に人が居るか否かを検知する人感センサ１０６，２０６と、両部屋間の情報通信を行う通信手段１０７，２０７と、が設けられ、且つ、第１の部屋１と第２の部屋２との間の人の移動を検知する通過センサ１１０が、両部屋の境界に設けられている。
【００３２】
照明器具１０４，２０４は、省エネルギーのための制御が行われる器具であり、消費電力を変更することにより明るさレベルを変更できるものである。このような照明器具１０４，２０４としては、蛍光灯、ＬＥＤ（Light Emitting Diode）照明等を用いることができる。
【００３３】
制御手段１０２，２０２は、明るさセンサ１０１，２０１の情報と記憶手段１０３，２０３の情報とを用いて、照明器具１０４，２０４の照明強度の制御を行うものである。なお、この制御の詳細は後述する。制御手段１０２，２０２としては、中央処理装置（ＣＰＵ）等の公知の処理装置を用いることができる。また、一つの制御手段が２つの部屋の照明器具１０４，２０４の双方を制御する構成であってもよい。
【００３４】
明るさセンサ１０１，２０１は、室内の明るさレベルを検出するセンサである。この明るさセンサ１０１，２０１としては、照度計等の公知の光センサを使用できる。
【００３５】
ユーザインターフェース１０５，２０５は、照明器具１０４，２０４に対してＯＮ／ＯＦＦ、明るさレベルの変更等のユーザ操作を行うものである。また、このような操作情報は、無線や有線の通信によって、制御手段１０２，２０２に伝達される。このユーザインターフェースは、それぞれが双方の部屋の照明器具に対して操作を行うことができる構成であってもよい。
【００３６】
記憶手段１０３，２０３は、照明器具１０４，２０４の明るさ制御のための各種情報を記憶するものである。具体的には、それぞれの部屋の室内環境に適した明るさの下限値と、点灯時の明るさである初期値と、照明器具１０４の明るさ変更比率（２％以下の値）と、照明器具１０４，２０４の明るさ変更間隔（０．２秒以上の値）と、が少なくとも記憶され、さらに、照明器具１０４，２０４の出力と明るさセンサ１０１，２０１により検出される明るさとの関係を示すテーブル、現在の照明強度、一致度判定のための誤差範囲等が記憶されていてもよい。また、一つの記憶手段が２つの部屋双方の制御情報を記憶する構成であってもよい。
【００３７】
記憶手段に記憶される情報について、以下に説明する。
【００３８】
明るさの下限値とは、室内の使用用途に応じた最適な明るさレベルの下限値を意味し、例えばＪＩＳ  Ｚ９１１０−１９７９の基準を用いることができ、またこの基準に示されていない環境においては、最も近い環境における値を参照して適用することもできる。
【００３９】
一致度判定のための誤差範囲とは、明るさセンサで検出された現在の明るさレベルが、明るさの下限値となっているか否かを判定する際に用いる誤差範囲であり、例えば明るさセンサで検出された明るさレベルと比較される「明るさの下限値」の２％範囲とすることができる。
【００４０】
明るさ変更比率とは、明るさセンサで検出された現在の明るさレベルが、明るさの下限値よりも大きい場合に、照明器具１０４，２０４の強度を下げるための強度変更比率である。
【００４１】
明るさ変更間隔とは、２回以上連続して照明器具１０４，２０４の強度を下げる場合に、強度変更処理間に設ける休止時間である。
【００４２】
ここで、明るさ変更比率及び明るさ変更間隔について、さらに説明する。気づくことができる最小の刺激差は、基準となる基礎刺激の強度に比例するというウェーバーの法則がある。明るさ刺激（明るさの変化）の場合、気づくことができる最小の刺激差は約２％であるため、明るさ変更比率は２％以下とする。明るさ変更比率の下限は特に設けなくてもよいが、好ましくは０．０１％以上、より好ましくは０．０５％以上、さらに好ましくは０．１％以上とする。
【００４３】
これに対し、明るさ刺激があった場合に視覚が落ち着くのは、明るさ変更後０．２〜０．３５秒以上後であることから、ここでは変更間隔を０．２秒以上、好ましくは０．３５秒以上とする。明るさ変更間隔の上限は特に設けなくてもよいが、好ましくは１時間以下、より好ましくは３０分以下、さらに好ましくは１０分以下とする。
【００４４】
また、照明調節の変更比率、変更間隔に関するテーブルを複数記憶手段１０３に記憶しておき、ユーザインターフェースからの入力によってユーザが好みの変更比率、変更間隔を設定できる構成としてもよい。また、常に一定の比率・間隔で変化させるのではなく、例えば照明強度が高く消費電力が大きいときには高い比率・短い間隔で、照明強度がある程度下がった後には低い比率・長い間隔というように、比率・間隔を変化させながら制御を行うようにしてもよい。
【００４５】
初期値とは、照明器具１０４，２０４の起動時の明るさレベル（照明強度）を意味する。
【００４６】
現在の照明強度とは、現在の照明器具１０４，２０４の照明強度（出力）を意味する。この情報は、電源が落とされた場合に保持する必要は無いので、揮発性の記憶手段に記憶されていてもよい。
【００４７】
照明器具１０４，２０４の出力と明るさセンサ１０１，２０１により検出される明るさとの関係を示すテーブルとは、照明器具１０４，２０４の照明強度（出力）と当該出力時の部屋の明るさとの関係を示すテーブルであり、制御手段１０２，２０２は、これらの情報を用いて照明器具１０４，２０４の照明強度（出力）の制御を行い、室内の明るさレベルを制御する。
【００４８】
ここで、それぞれの情報ごとに記憶手段が用意される構成であってもよく、全ての情報を一つの記憶手段が記憶する構成であってもよく、それ以外の構成であってもよい。記憶手段としては、ハードディスクドライブ（ＨＤＤ）、フラッシュメモリ、レジスタ等を用いることができる。また、複数の記憶手段を用いる場合、揮発してもよい情報のみを記憶する記憶手段として、ＲＡＭ（Random Access Memory）等の揮発性の記憶手段を用いることができる。
【００４９】
人感センサ１０６，２０６は、部屋内に人がいるか否かを検知するセンサである。また、部屋内に人が何人いるかをさらに検出するものであってもよい。また、人感センサは、部屋それぞれに２以上設ける構成であってもよい。人感センサとしては、可視光、赤外線、超音波等を用いた公知の人感センサを利用できる。
【００５０】
通過センサ１１０は、第１の部屋１と第２の部屋２の境界付近に設置され、両部屋間の人の移動の有無及び移動の方向を検知するセンサである。なお、二つの部屋それぞれに設置された人感センサ１０６，２０６の検知タイミングで代用する構成としてもよい。
【００５１】
通信手段１０７，２０７は、有線又は無線の通信回線を用いて第１の部屋１と第２の部屋２との間の情報通信を行うものである。
【００５２】
次に、この照明システムの、各部屋の照明強度調節フローを、図２を参照して説明する。
【００５３】
ステップＳ１０１
ユーザインターフェース１０５，２０５を用いて照明器具１０４，２０４がＯＮとなると、制御手段１０２，２０２に当該情報が通知される。この通知は、ユーザインターフェース１０５，２０５が制御手段１０２，２０２に通知するものであってもよく、照明器具１０４，２０４が制御手段１０２，２０２に通知するものであってもよい。
【００５４】
ステップＳ１０２
制御手段１０２，２０２は、照明器具１０４，２０４の点灯明るさを判別し、当該明るさで照明器具を点灯させる。
【００５５】
ステップＳ１０３
制御手段１０２，２０２は、記憶手段１０３，２０３から明るさの下限値及び照明誤差範囲に関する情報を取得する。
【００５６】
ステップＳ１０４
制御手段１０２，２０２は、明るさセンサ１０１，２０１から現時点での明るさレベルを取得する。なお、ステップＳ１０３とステップＳ１０４との順序が逆ないし同時であってもよい。
【００５７】
ステップＳ１０５
制御手段１０４，２０４は、取得した現時点での明るさと明るさの下限値の減算処理を行い、この値が照明誤差範囲内か否か（現時点での明るさと明るさの下限値とが一致するか否か）を判定する。範囲内であれば終了処理を行い、範囲外であればステップＳ１０６に移行する。
【００５８】
ステップＳ１０６
取得した現時点での明るさレベルと明るさの下限値の差が照明誤差範囲外であれば、記憶手段１０３，２０３から明るさ変更比率（２％以下の値）を取得し、この比率を用いて照明器具１０４，２０４の強度を低下させる。
【００５９】
ステップＳ１０７
明るさ変更処理後、明るさ変更間隔（０．２秒以上）の経過を待って、ステップＳ１０４に移行する。
【００６０】
これらの処理により、室内の照明器具１０４，２０４の消費電力が低減されて、省エネルギーを図れる。
【００６１】
次に、人の移動がある場合における照明システムの動作フローを、図３を参照して説明する。
【００６２】
ステップＳ２０１
第１の部屋ないし第２の部屋の照明器具１０４，２０４いずれかの電源がＯＮとなると、第１の部屋に人が居るか居ないかを、制御手段１０２が人感センサ１０６のセンサ信号を用いて判定する。居る場合にはステップＳ２０２に移行し、居ない場合にはステップＳ２０３に移行する。
【００６３】
ステップＳ２０２
第１の部屋に人が居る場合、さらに第２の部屋に人が居るか居ないかを、制御手段２０２が人感センサ２０６のセンサ信号を用いて判定する。居る場合にはルート１（部屋１，２の双方の制御）に移行し、居ない場合にはルート２（部屋１のみの制御）に移行する。
【００６４】
ステップＳ２０３
第１の部屋に人が居ない場合、さらに第２の部屋に人が居るか居ないかを、制御手段２０２が人感センサ２０６のセンサ信号を用いて判定する。居る場合にはルート３（部屋２のみの制御）に移行し、居ない場合にはステップＳ２０４に移行する。
【００６５】
ステップＳ２０４
第１の部屋及び第２の部屋ともに人が居ない場合、第１の部屋及び第２の部屋の照明器具１０４，２０４の電源をＯＦＦとし、終了する。
【００６６】
次に、第１の部屋及び第２の部屋の照明器具の制御を行うルート１の動作フローについて、図４を用いて説明する。
【００６７】
ステップＳ３０１
第１の部屋及び第２の部屋ともに人が居る状況では、第１の部屋及び第２の部屋の照明器具１０４，２０４について、それぞれ上記ステップＳ１０１〜Ｓ１０７と同様の制御を行う。
【００６８】
ステップＳ３０２
制御手段１０２が、第１の部屋に人が居るか否か（第１の部屋から退室して人が居なくなったか否か）について、人感センサ１０６のセンサ信号を用いて判定する。第１の部屋に人が居ない場合はステップＳ３０３に移行し、第１の部屋に人が居る場合はステップＳ３２３に移行する。
【００６９】
ステップＳ３０３
制御手段１０２が、第１の部屋の照明器具１０４が消灯されているか否かを判定する。消灯されている場合はステップＳ３０４に移行し、消灯されていない場合はステップＳ３０９に移行する。
【００７０】
ステップＳ３０４
制御手段２０２が、第２の部屋に人が居るか否か（第２の部屋から退室して人が居なくなったか否か）について、人感センサ２０６のセンサ信号を用いて判定する。第２の部屋に人が居ない場合はステップＳ３０５に移行し、第２の部屋に人が居る場合は、第２の部屋の照明器具２０４のみを制御すればよいので、ルート３に移行する。
【００７１】
ステップＳ３０５
制御手段２０２が、第２の部屋の照明器具２０４が消灯されているか否かを判定する。消灯されている場合は、第1の部屋、第２の部屋ともに人が居らず、且つ照明器具１０４，２０４が消灯されているので、終了する。消灯されていない場合はステップＳ３０６に移行する。
【００７２】
ステップＳ３０６
第２の部屋は、人が居ないにもかかわらず照明器具が消灯されていない状況であるので、一時的な退室か否かを判定するために、所定時間待機する。
【００７３】
ステップＳ３０７
所定時間経過後、第２の部屋に人が居るか否かを、ステップＳ３０４と同様にして判定する。第１の部屋には人が居ないが、照明器具１０４はすでに消灯済みであるため、第２の部屋に人が居る（戻ってきた）場合は、第２の部屋の照明器具２０４のみを制御すればよい。よって、第２の部屋に人が居る場合は、ルート３に移行する。第２の部屋に人が居ない場合は、ステップＳ３０８に移行する。
【００７４】
ステップＳ３０８
所定時間経過後においても第２の部屋に人が居ないので、第２の部屋の照明器具２０４を消灯する。第１の部屋は人が居ないが、照明器具１０４はすでに消灯済みであるので、何も行わない。両部屋の照明器具１０４，２０４がともに消灯されているので、照明器具の制御は終了する。
【００７５】
ステップＳ３０９
第２の部屋に人が居るか否かを、ステップＳ３０４と同様にして判定する。第２の部屋に人が居る場合は、ステップＳ３２１に移行し、人が居ない場合は、ステップＳ３１０に移行する。
【００７６】
ステップＳ３１０
第２の部屋の照明器具２０４が消灯されているか否かを、ステップＳ３０５と同様にして判定する。消灯されている場合は、ステップＳ３１１に移行し、消灯されていない場合はステップＳ３１４に移行する。
【００７７】
ステップＳ３１１
第１の部屋は、人が居ないにもかかわらず照明器具が消灯されていない状況であるので、一時的な退室か否かを判定するために、所定時間待機する。
【００７８】
ステップＳ３１２
所定時間経過後、第１の部屋に人が居るか否かを、ステップＳ３０２と同様にして判定する。第２の部屋には人が居ないが、照明器具２０４はすでに消灯済みであるため、第１の部屋に人が居る（戻ってきた）場合は、第１の部屋の照明器具１０４のみを制御すればよい。よって、第１の部屋に人が居る場合は、ルート２に移行する。人が居ない場合はステップＳ３１３に移行する。
【００７９】
ステップＳ３１３
所定時間経過後においても第１の部屋に人が居ない状況であるので、第１の部屋の照明器具１０４を消灯する。第２の部屋は人が居ないが、照明器具２０４はすでに消灯済みであるので、何も行わない。両部屋の照明器具１０４，２０４がともに消灯されているので、照明器具の制御は終了する。
【００８０】
ステップＳ３１４
第１の部屋及び第２の部屋は、人が居ないにもかかわらず照明器具が消灯されていない状況であるので、一時的な退室か否かを判定するために、所定時間待機する。
【００８１】
ステップＳ３１５
所定時間経過後、まず、第１の部屋に人が居るか否かを、ステップＳ３０２と同様にして判定する。第１の部屋に人が居る場合は、ステップＳ３１９に移行し、人が居ない場合はステップＳ３１６に移行する。
【００８２】
ステップＳ３１６
次いで、第２の部屋に人が居るか否かを、ステップＳ３０４と同様にして判定する。第２の部屋に人が居る場合は、ステップＳ３１８に移行し、人が居ない場合はステップＳ３１７に移行する。
【００８３】
ステップＳ３１７
第１の部屋及び第２の部屋は、人が居ないにもかかわらず照明器具が消灯されていないので、両部屋の照明器具１０４，２０４を消灯し、終了する。
【００８４】
ステップＳ３１８
第１の部屋は、人が居ないにもかかわらず照明器具が消灯されていないので、第１の部屋の照明器具１０４を消灯し、第２の部屋のみを制御するルート３に移行する。
【００８５】
ステップＳ３１９
次いで、第２の部屋に人が居るか否かを、ステップＳ３０４と同様にして判定する。第２の部屋に人が居る場合は、両部屋ともに人が戻ってきている状況なので、ステップＳ３０１に移行する。人が居ない場合はステップＳ３２０に移行する。
【００８６】
ステップＳ３２０
第２の部屋は、人が居ないにもかかわらず照明器具が消灯されていないので、第２の部屋の照明器具２０４を消灯し、第１の部屋のみを制御するルート２に移行する。
【００８７】
ステップＳ３２１
第１の部屋は、人が居ないにもかかわらず照明器具が消灯されていない状況であるので、一時的な退室か否かを判定するために、所定時間待機する。
【００８８】
ステップＳ３２２
所定時間経過後、第１の部屋に人が居るか否かを、ステップＳ３０２と同様にして判定する。第１の部屋に人が居る場合は、第１の部屋及び第２の部屋の制御を行うため、ステップＳ３０１に移行する。人が居ない場合はステップＳ３１８に移行する。
【００８９】
ステップＳ３２３
次いで、第２の部屋に人が居るか否かを、ステップＳ３０４と同様にして判定する。第１の部屋に人が居る場合は、ステップＳ３０１に移行し、人が居ない場合はステップＳ３２４に移行する。
【００９０】
ステップＳ３２４
第２の部屋の照明器具２０４が消灯されているか否かを、ステップＳ３０５と同様にして判定する。消灯されている場合は、第1の部屋のみの制御を行うために、ルート２に移行する。消灯されていない場合は、ステップＳ３２５に移行する。
【００９１】
ステップＳ３２５
第２の部屋は人が居ないにもかかわらず照明器具が消灯されていない状況であるので、一時的な退室か否かを判定するために、所定時間待機する。
【００９２】
ステップＳ３２６
所定時間経過後、第２の部屋に人が居るか否かを、ステップＳ３０４と同様にして判定する。第２の部屋に人が居る場合は、第１の部屋及び第２の部屋の制御を行うため、ステップＳ３０１に移行する。第２の部屋に人が居ない場合はステップＳ３２７に移行する。
【００９３】
ステップＳ３２７
第２の部屋は、人が居ないにもかかわらず照明器具が消灯されていないので、第２の部屋の照明器具２０４を消灯し、第１の部屋のみを制御するルート２に移行する。
【００９４】
上記の例では、手洗い等の短時間の退室で照明器具の電源を落とすことが無いように留保時間を設定しているが、これを設定しなくてもよい。
【００９５】
次に、第１の部屋のみを制御するルート２の動作フローについて、図５を用いて説明する。
【００９６】
ステップＳ４０１
第１の部屋に人が居り、第２の部屋ともに人が居ない状況では、第１の部屋のみについて、上記ステップＳ１０１〜Ｓ１０７の制御を行う。
【００９７】
ステップＳ４０２
制御手段１０２が、第１の部屋に人が居るか否か（第１の部屋から退室して人が居なくなったか否か）について、人感センサ１０６のセンサ信号を用いて判定する。第１の部屋に人が居ない場合はステップＳ４０３に移行し、第１の部屋に人が居る場合はステップＳ４１６に移行する。
【００９８】
ステップＳ４０３
制御手段２０２が、第２の部屋が無人か否かを、人感センサ２０６のセンサ信号を用いて判定する。第２の部屋に人が居る場合はステップＳ４０８に移行し、第２の部屋が無人である場合はステップＳ４０４に移行する。
【００９９】
ステップＳ４０４
第１の部屋の照明器具１０４が、ユーザの操作により消灯されているか否かを判定する。消灯されている場合は、第１の部屋、第２の部屋ともに人が居ない状況であるので、終了する。消灯されていない場合は、ステップＳ４０５に移行する。
【０１００】
ステップＳ４０５
照明器具の電源が落とされていない状況では、一時的な退室か否かを判定するために、所定時間待機する。
【０１０１】
ステップＳ４０６
所定時間経過後、再度第１の部屋に人が居るか否かを判定する。居る場合はステップＳ４０１に移行し、居ない場合はステップＳ４０７に移行する。
【０１０２】
ステップＳ４０７
所定時間経過後、第１の部屋に人が居ない場合、第１の部屋の照明器具の電源を落として終了する。
【０１０３】
ステップＳ４０８
第１の部屋に人が居らず、第２の部屋に人が居る状況では、制御手段２０２が、第１の部屋から第２の部屋への人の移動であるか否かを、通過センサ１１０のセンサ信号を用いて判定する。第１の部屋から第２の部屋への移動である場合はステップＳ４０９に移行し、第１の部屋から第２の部屋への移動ではない場合はステップＳ４１０に移行する。
【０１０４】
ステップＳ４０９
第１の部屋から第２の部屋への人の移動である状況では、第２の部屋の照明器具２０４を、退室時の第１の部屋の明るさで点灯させる。
【０１０５】
ステップＳ４１０
第１の部屋から第２の部屋への人の移動でない状況では、第１の部屋から人が退室するとともに、第２の部屋に別の人が入室した状況であるので、第２の部屋の照明器具２０４を、初期の明るさで点灯させる。
【０１０６】
ステップＳ４１１
第１の部屋の照明器具１０４が、ユーザの操作により消灯されたか否かを判定する。消灯されている場合は、第１の部屋から第２の部屋への移動であるので、ルート３に移行する。消灯されていない場合は、ステップＳ４１２に移行する。
【０１０７】
ステップＳ４１２
照明器具の電源が落とされていない状況では、一時的な退室か否かを判定するために、所定時間待機する。
【０１０８】
ステップＳ４１３
所定時間経過後、再度第１の部屋に人が居るか否かを判定する。居る場合はステップＳ４１５に移行し、居ない場合はステップＳ４１４に移行する。
【０１０９】
ステップＳ４１４
所定時間経過後、第１の部屋に人が居ない場合、第１の部屋の照明器具の電源を落として、第２の部屋のみの照明器具を制御するルート３に移行する。
【０１１０】
ステップＳ４１５
所定時間経過後、第１の部屋に人が居る場合、再度第２の部屋に人が居るか否かを判定する。居る場合は第１の部屋及び第２の部屋の照明器具を制御するルート１に移行し、居ない場合はステップＳ４０１に移行する。
【０１１１】
ステップＳ４１６
制御手段２０２が、第２の部屋に人が居るか否かを、人感センサ２０６のセンサ信号を用いて判定する。第２の部屋に人が居る場合はステップＳ４０１に移行し、第２の部屋が無人である場合はステップＳ４１７に移行する。
【０１１２】
ステップＳ４１７
第２の部屋に人が居る状況では、制御手段２０２が、第１の部屋から第２の部屋への人の移動であるか否かを、通過センサ１１０のセンサ信号を用いて判定する。第１の部屋から第２の部屋への移動である場合はステップＳ４１８に移行し、第１の部屋から第２の部屋への移動ではない場合はステップＳ４１９に移行する。
【０１１３】
ステップＳ４１８
第１の部屋から第２の部屋への人の移動である状況では、第２の部屋の照明器具２０４を、退室時の第１の部屋の明るさで点灯させる。この後、第１の部屋及び第２の部屋の双方の制御であるルート１に移行する。
【０１１４】
ステップＳ４１９
第１の部屋から第２の部屋への人の移動ではない状況では、第２の部屋に新たな人が入室した状況であるので、第２の部屋の照明器具２０４を、初期値の明るさで点灯させる。この後、第１の部屋及び第２の部屋の双方の制御であるルート１に移行する。
【０１１５】
次に、第２の部屋のみを制御するルート３の動作フローを説明する。図６はルート３の動作フローを説明する図である。
【０１１６】
ルート３の動作フローは、ルート２の動作フローにおいて、「第１の部屋」を「第２の部屋」、「第２の部屋」を「第１の部屋」、「ルート３」を「ルート２」、「ルート２」を「ルート３」と置き換えたものと同一である。このため、各ステップの詳細の説明は省略する。
【０１１７】
以上の動作により、部屋間を人が移動した場合には、移動前の部屋と同じ明るさで移動後の部屋の照明器具を点灯させることができる。移動前の部屋では、ステップＳ１０１〜１０７の動作によって明るさレベルが初期値よりも低下されているので、ユーザに負担や不快を感じさせることなく、移動後の部屋の照明器具をより省エネルギー稼動できる。
【０１１８】
なお、上記実施の形態では、部屋が２つである場合を例として説明したが、本発明に係る照明システムは、３以上の部屋の照明器具を制御することも可能である。
【０１１９】
（実施の形態２）
本実施の形態では、ユーザの照明器具の使用状態を学習し、ユーザの好みに適しており、且つ省エネルギーに資する明るさに速やかに変更できる照明システムを、図面を参照して詳細に説明する。なお、照明システムの構成は、照明器具１０４，２０４の起動値の明るさであって、ユーザの好みを学習したものである学習上限値及び照明器具１０４，２０４の明るさレベル変更の下限値であって、ユーザの好みを学習したものである学習下限値が、記憶手段に記憶される必須の記憶情報であり、且つ、ユーザインターフェース１０５，２０５の操作情報を用いて制御手段１０２，２０２が学習値の書き換えを行うこと以外は、上記実施の形態１と同様であるので、システム構成の説明は省略する。また、以下においては、第１の部屋における学習を例として説明する。
【０１２０】
次に、この照明システムの動作フローを、図７を参照して説明する。
【０１２１】
ステップＳ６０１
ユーザインターフェース１０５を用いて照明器具１０４がＯＮとなると、制御手段１０２に当該情報が通知される。
【０１２２】
ステップＳ６０２
制御手段１０２は、明るさレベルの学習（学習下限値の設定）が済んでいるか否かを判定する。済んでいる場合はステップＳ６０４に移行し、済んでいない場合はステップＳ６０３に移行する。
【０１２３】
ステップＳ６０３
未学習の場合、制御手段１０２は、明るさの下限値を学習下限値、初期値を学習上限値に代入する。
【０１２４】
ステップＳ６０４
学習上限値で照明器具１０４が点灯される。
【０１２５】
ステップＳ６０５
制御手段１０２は、記憶手段１０３から学習下限値及び照明誤差範囲に関する情報を取得する。
【０１２６】
ステップＳ６０６
制御手段１０２は、明るさセンサ１０１から現時点での明るさレベルを取得する。
【０１２７】
ステップＳ６０７
制御手段１０２は、取得した現時点での明るさレベルと下限値（学習下限値又は明るさ下限値）の減算処理を行い、この値が照明誤差範囲内か否かを判定する。範囲内であれば終了処理を行い、範囲外であればステップＳ６０８に移行する。
【０１２８】
ステップＳ６０８
取得した現時点での明るさレベルと明るさの下限値の差が照明誤差範囲外であれば、記憶手段１０３から明るさ変更比率を取得し、この比率を用いて照明器具１０４の強度を低下させる。
【０１２９】
ステップＳ６０９
明るさ変更処理後、明るさ変更間隔の経過を待って、ステップＳ６０６に移行する。
【０１３０】
これらの処理により、室内の照明器具１０４の強度がユーザの好みの下限値まで低下し、これにより消費電力が低減されて、省エネルギーを図れる。
【０１３１】
次に、学習下限値、学習上限値の設定（学習）方法を、図８のフローを用いて説明する。
【０１３２】
ここでは、照明器具１０４が点灯してから、照明器具１０４の明るさ変更操作の有無及びある場合にはその内容を用いて、ユーザの明るさ嗜好の学習を行う。
【０１３３】
ステップＳ７０１
制御手段１０２は、学習値が設定されているか否かを判定する。設定されていない場合にはステップＳ７０２に移行し、設定されている場合にはステップＳ７０３に移行する。ここでは、学習値の有無を示す学習値フラグを記憶手段に記憶しておき、これを用いて判定する方法を採用できる。
【０１３４】
ステップＳ７０２
学習値が設定されていない場合、学習上限値を初期値とし、学習下限値に明るさ下限値として代入する。
【０１３５】
ステップＳ７０３
制御手段１０２は、ユーザインターフェース１０５から操作情報を取得し、ユーザの明るさ調節操作があったか否かを判定する。ない場合にはステップＳ７０７に移行し、ある場合にはステップＳ７０４に移行する。
【０１３６】
ステップＳ７０４
照明調節操作がある場合、明るさレベルを上げる操作か下げる操作か判定する。明るさレベルを上げる操作であればステップＳ７０５、明るさレベルを下げる操作であればステップＳ７０６に移行する。
【０１３７】
ステップＳ７０５
明るさレベルを上げる操作である場合、変更前の明るさに不満がある（明るさが低すぎる）と判定できるので、この明るさをこのレベルまで落とすことが無いように、学習下限値を「変更前の明るさに明るさ変更比率分加算した値」とする。なお、初期値を超える値とすることは好ましくないので、「変更前の明るさに明るさ変更比率分加算した値」が初期値よりも大きい場合には、学習下限値を「初期値」とする。
また、次回起動時の明るさレベルは、変更後の明るさで十分であると判定できるため、学習上限値を「変更後の明るさ」とする。なお、初期値を超える値とすることは好ましくないので、「変更前の明るさに明るさ変更比率分加算した値」が初期値よりも大きい場合には、学習上限値を「初期値」とする。
【０１３８】
ステップＳ７０６
明るさレベルを下げる操作である場合、変更後の明るさレベルに不満はないと判定できるため、学習上限値を「変更後の明るさ」とする。なお、初期値を超える値とすることは好ましくないので、「変更前の明るさに明るさ変更比率分加算した値」が初期値よりも大きい場合には、学習上限値を「初期値」とする。また、学習下限値は変更後の明るさよりも下の値とすることがよいが、このレベルは不明であると判定できるので、学習下限値を「明るさ下限値」とする。
【０１３９】
ステップＳ７０７
照明点灯時に、照明調節操作が全く無い場合は、現在の学習下限値まで明るさを下げたことに対する不満を感じなかったと判定できるため、学習下限値は変更しない。また、点灯時の明るさレベルを落としても大丈夫と判定できるので、点灯時の明るさレベルである学習最大値を、「学習最大値（変更前）から明るさ変更比率分落とした値」とする。なお、この値が明るさ下限値よりも小さくなることは好ましくないので、この場合は、学習最大値を「明るさ下限値」とする。
【０１４０】
ステップＳ７０８
ステップＳ７０５〜Ｓ７０７で学習した学習上限値を、照明器具１０４の次回起動の際の明るさに設定し、終了する。なお、この明るさが設定されている場合においても、部屋の移動により照明器具を点灯させる場合には、移動前の部屋の明るさが優先される。
【０１４１】
以上の学習処理により、ユーザに不快感を与えない明るさまで速やかに照明器具の強度を落としていくことができ、より省エネルギーに資する。
【産業上の利用可能性】
【０１４２】
以上に説明したように、本発明によると、ユーザに負担や不快を感じさせることなく照明器具を省エネルギー稼動できる照明システムを実現できる。よって、本発明の産業上の利用可能性は大きい。
【符号の説明】
【０１４３】
１              第１の部屋
２              第２の部屋
１０１、２０１  明るさセンサ
１０２、２０２  制御手段
１０３、２０３  記憶手段
１０４、２０４  照明器具
１０５、２０５  ユーザインターフェース
１０６、２０６  人感センサ
１０７、２０７  通信手段
１１０          通過センサ
【図１】
2012043626.tif 000003
【図２】
2012043626.tif 000004
【図３】
2012043626.tif 000005
【図４】
2012043626.tif 000006
【図５】
2012043626.tif 000007
【図６】
2012043626.tif 000008
【図７】
2012043626.tif 000009
【図８】
2012043626.tif 000010